(57)【要約】【課題】同調回路のコンデンサを半導体チップに内蔵した受信機において、容量値のバラツキがあっても所要の周波数で確実に同調がとれるようにする。【解決手段】受信周波数から求まる論理的な容量値のコンデンサに加えてマージン分の容量値を持ったコンデンサを含めて実際の受信チャンネル数より多くのコンデンサＣ１〜Ｃｍを設けて同調回路２を構成し、局部発振周波数ＦＬに対して中間周波数（１０．７ＭＨｚ）の分だけ差を有する基準周波数の信号を同調回路２に供給した上で、コンデンサＣ１〜Ｃｍの選択を切り替えながらトラッキング部１０ｃが同調点を検出することにより、コンデンサＣ１〜Ｃｍが内蔵される半導体チップ上で容量値のバラツキが生じていても、同調をとるのに本当に必要なコンデンサの容量値をトラッキングにより特定することができるようにする。【選択図】        図１
2009177580.tif 000002
【特許請求の範囲】
【請求項１】
半導体チップに内蔵した複数のコンデンサの何れかを選択することによって同調周波数を切替可能に成された可変容量回路であって、受信周波数から求まる論理的な容量値のコンデンサに加えてマージン分の容量値を持ったコンデンサを含めて実際の受信チャンネル数より多くのコンデンサを設けた可変容量回路、および上記可変容量回路のコンデンサに対して並列に接続されたコイルを有する同調回路と、
局部発振周波数の信号を用いて、上記同調回路より出力される信号の周波数を変換して中間周波数の信号を発生する周波数変換部と、
上記可変容量回路が備える上記複数のコンデンサの選択を切り替えながら、上記中間周波数の信号のレベルが極大となる同調点をトラッキングし、上記同調点が得られたときのコンデンサを特定するトラッキング部とを備えたことを特徴とする受信機。
【請求項２】
上記局部発振周波数に対して上記中間周波数の分だけ差を有する基準周波数の信号を発生して上記同調回路に供給する基準信号発生部を更に備えたことを特徴とする請求項１に記載の受信機。
【請求項３】
上記トラッキング部により特定されたコンデンサを特定するために必要な情報を格納するトラッキング情報格納部を更に備えたことを特徴とする請求項１に記載の受信機。
【請求項４】
コイルに対して並列に接続された複数のコンデンサの何れかを選択することによって同調周波数を切替可能に成された可変容量回路であって、受信周波数から求まる論理的な容量値のコンデンサに加えてマージン分の容量値を持ったコンデンサを含めて実際の受信チャンネル数より多くのコンデンサを設けた可変容量回路と、
局部発振周波数の信号を用いて、上記同調回路より出力される信号の周波数を変換して中間周波数の信号を発生する周波数変換部と、
上記可変容量回路が備える上記複数のコンデンサの選択を切り替えながら、上記中間周波数の信号のレベルが極大となる同調点をトラッキングし、上記同調点が得られたときのコンデンサを特定するトラッキング部とを備えたことを特徴とする半導体集積回路。
【請求項５】
上記局部発振周波数に対して上記中間周波数の分だけ差を有する基準周波数の信号を発生して上記同調回路に供給する基準信号発生部を更に備えたことを特徴とする請求項４に記載の半導体集積回路。
【請求項６】
上記トラッキング部により特定されたコンデンサを特定するために必要な情報を格納するトラッキング情報格納部を更に備えたことを特徴とする請求項４に記載の半導体集積回路。
【発明の詳細な説明】
【技術分野】
【０００１】
本発明は、受信機およびこれに用いる半導体集積回路に関し、特に、コンデンサおよびコイルを備えたＬＣ共振回路より成る同調回路を有する受信機およびこれに用いる半導体集積回路に関するものである。
【背景技術】
【０００２】
ラジオやテレビなどに代表される受信機では、目的周波数帯域の信号だけを良好に受信し、目的周波数帯域以外の信号から妨害を受けないようにするために、フィルタを使って不要な周波数成分を除去する必要がある。そのための受信帯域選択フィルタの最も簡単なものとして、同調回路（ＬＣ共振回路）が用いられることがある。この同調回路の中には、コイルと容量値の異なる複数のコンデンサとを並列に接続し、スイッチの切り替えにより何れかのコンデンサを選択的にコイルに接続することにより、選択するコンデンサの容量値に応じて同調周波数を可変にできるように成されたものが存在する（例えば、特許文献１参照）。
【特許文献１】特開２００３−３７４８０号公報
【０００３】
図５は、同調回路を備えた従来のラジオ受信機の一部構成例を示す図である。図５において、同調回路１０２は、アンテナ１０１で受信した広帯域の高周波信号（ＲＦ信号）から目的の周波数帯域に同調したＲＦ信号を抽出して出力する。ＬＮＡ（Low Noise Amplifier）１０３は、同調回路１０２より出力されるＲＦ信号を増幅して出力する。ミキサ１０４は、ＬＮＡ１０３より出力されるＲＦ信号と、図示しない局部発振回路から供給される局部発振信号とを混合し、周波数変換を行って中間周波信号（ＩＦ信号）を生成して出力する。
【０００４】
同調回路１０２は、半導体チップの外部に接続されたコイルＬと、半導体チップの内部においてコイルＬに対して並列に接続された複数のコンデンサＣ１，Ｃ２，・・・，Ｃｎから成る容量アレイとを備えている。複数のコンデンサＣ１〜Ｃｎは、容量値がそれぞれ異なっている。そして、各々のコンデンサＣ１〜Ｃｎに対してスイッチＳＷ１〜ＳＷｎが直列に設けられていて、何れか１つのスイッチをオンとすることにより、コイルＬに並列接続されるコンデンサの容量値を可変とし、ひいては同調周波数を調整できるように構成されている。
【発明の開示】
【発明が解決しようとする課題】
【０００５】
しかしながら、コンデンサＣ１〜Ｃｎが実装される半導体チップ上では、製造プロセス変動およびパッド容量や浮遊容量などの影響により、容量値のバラツキが生じる。そのため、ｆ＝１／｛２π√（ＬＣ）｝という数式から求められる論理通りの容量値のコンデンサを選択しても、同調をとることができるとは限らないという問題があった。例えば、コイルＬのインダクタンスが２２０[ｎＨ]の場合、ＦＭラジオバンドの８８．１ＭＨｚで同調をとりたいときに必要な同調容量は、上述の式から求まる論理値だと１４．９[ｐＦ]となる。しかし、容量値のバラツキがあると、１４．９[ｐＦ]のコンデンサを選択しても８８．１ＭＨｚで同調をとることができない。
【０００６】
本発明は、このような問題を解決するために成されたものであり、複数のコンデンサから成る可変容量回路が半導体チップに内蔵された同調回路（ＬＣ共振回路）を有する受信機において、容量値のバラツキがあっても所要の周波数で確実に同調をとることができるようにすることを目的とする。
【課題を解決するための手段】
【０００７】
上記した課題を解決するために、本発明では、ＬＣ共振回路より成る同調回路のコンデンサを半導体チップに内蔵した受信機において、受信周波数から求まる論理的な容量値のコンデンサに加えてマージン分の容量値を持ったコンデンサを含めて実際の受信チャンネル数より多くのコンデンサを設けて可変容量回路を構成し、複数のコンデンサの選択を切り替えながら同調点のトラッキングを行うようにしている。
【発明の効果】
【０００８】
上記のように構成した本発明によれば、複数のコンデンサの選択を切り替えながら、中間周波信号のレベルが極大となる同調点を検出するトラッキング処理が行われるので、コンデンサが内蔵される半導体チップ上で容量値のバラツキが生じていても、ある周波数で同調をとるのに本当に必要なコンデンサの容量値（論理通りの容量値とは限らない）をトラッキングにより特定することができる。このとき、容量値のバラツキを考慮したマージン分の容量値を持ったコンデンサも選択対象として半導体チップに内蔵されているので、容量値のバラツキがあっても所要の周波数で確実に同調をとることができる。
【発明を実施するための最良の形態】
【０００９】
（第１の実施形態）
以下、本発明の一実施形態を図面に基づいて説明する。図１は、第１の実施形態による受信機の構成例を示す図である。第１の実施形態では、米国のＦＭラジオバンド（８８．１〜１０７．９ＭＨｚ）を受信可能な受信機を例に挙げて説明する。また、第１の実施形態では、工場のラインで受信機の出荷時に同調の調整を行うために必要な構成例について説明する。
【００１０】
図１において、信号発生器１は、本発明の基準信号発生部に相当するものであり、局部発振周波数ＦＬに対して中間周波数（ＦＭの場合、１０．７ＭＨｚ）の分だけ差を有する基準周波数（例えば、ＦＬ＋１０．７ＭＨｚ）の信号を発生して同調回路２に供給する。同調回路２は、信号発生器１より供給された基準周波数の信号（以下、基準信号という）から目的の周波数帯域に同調した信号を抽出して出力する。
【００１１】
同調回路２は、半導体チップの外部に接続されたコイルＬと、半導体チップの内部においてコイルＬに対して並列に接続された複数のコンデンサＣ１，Ｃ２，・・・，Ｃｍから成る容量アレイとを備えている。図１に示す各構成のうち、信号発生器１およびコイルＬ以外は、例えばＣＭＯＳプロセスまたはＢｉ−ＣＭＯＳプロセスにより１つの半導体チップに集積化されている。
【００１２】
本実施形態において、コイルＬのインダクタンスは２２０[ｎＨ]とする。また、複数のコンデンサＣ１〜Ｃｍの容量値は、それぞれが異なる値となっている。そして、各々のコンデンサＣ１〜Ｃｍに対してスイッチＳＷ１〜ＳＷｍが直列に設けられていて、何れか１つのスイッチをオンとすることにより、コイルＬに並列接続されるコンデンサの容量値を可変とし、ひいては同調周波数を切替可能に構成されている。複数のコンデンサＣ１〜Ｃｍおよびこれらに直列接続された複数のスイッチＳＷ１〜ＳＷｍにより本発明の可変容量回路が構成される。
【００１３】
本実施形態では、±１５％程度の容量値のバラツキを考慮して、ＦＭラジオバンドの実際のチャンネル数より多くのコンデンサＣ１〜Ｃｍを設けている。すなわち、ＦＭラジオバンドのチャンネル数より多くのコンデンサＣ１〜Ｃｍに対して、８８．１〜１０７．９ＭＨｚの各受信チャンネルに対応する論理的な容量値と、±１５％のバラツキを考慮したマージン分の容量値とを割り当てている。
【００１４】
より具体的には、図２に示すように、８．４[ｐＦ]（受信周波数が１０７．９ＭＨｚである場合の論理的な同調容量値９．９[ｐＦ]に対して−１５％のバラツキを有する値）〜１７．１[ｐＦ]（受信周波数が８８．１ＭＨｚである場合の論理的な同調容量値１４．９[ｐＦ]に対して＋１５％のバラツキを有する値）の容量値を複数のコンデンサＣ１〜Ｃｍに割り当てる。なお、ここでは周波数間隔を１ＭＨｚとしているが、これは説明上示した一例に過ぎない。
【００１５】
ＬＮＡ３は、同調回路２より出力される信号を低雑音で増幅して出力する。ミキサ４は、本発明の周波数変換部に相当するものであり、同調回路２よりＬＮＡ３を介して出力される信号と、図示しない局部発振回路から供給される局部発振周波数ＦＬの信号（以下、局部発振信号という）とを混合し、周波数変換を行って中間周波数の信号（以下、ＩＦ信号という）を生成してバンドパスフィルタ（ＢＰＦ）５に出力する。本実施形態において、ミキサ４はダウンコンバージョン方式で周波数変換を行う。これにより、ＬＮＡ３より出力される信号の周波数（＝ＦＬ＋１０．７ＭＨｚ）を中間周波数（＝１０．７ＭＨｚ）に変換する。
【００１６】
ＢＰＦ５は、ミキサ４より供給されたＩＦ信号に対して帯域制限を行い、希望波周波数のみが含まれる狭帯域のＩＦ信号を抽出する。ＩＦアンプ６は、ＢＰＦ５より出力された狭帯域ＩＦ信号を増幅する。Ａ／Ｄ変換回路７は、ＩＦアンプ６より出力された狭帯域ＩＦ信号をアナログ−デジタル変換する。このようにしてデジタルデータとされた狭帯域ＩＦ信号は、ＤＳＰ１０に入力される。
【００１７】
ＤＳＰ１０は、その機能構成として、復調部１０ａ、レベル検出部１０ｂ、トラッキング部１０ｃおよび制御部１０ｅを備えている。復調部１０ａは、Ａ／Ｄ変換回路７より入力された狭帯域デジタルＩＦ信号をベースバンド信号に復調して出力する。レベル検出部１０ｂは、Ａ／Ｄ変換回路７より入力される狭帯域デジタルＩＦ信号に基づいて、ＩＦアンプ６より出力された狭帯域デジタルＩＦ信号のレベル（以下、ＩＦアンプ出力レベルＶＩＦＮという）を検出する。
【００１８】
トラッキング部１０ｃは、コンデンサＣ１〜Ｃｍの選択を切り替えながら、ＦＭラジオバンド内のある受信周波数（例えば、ＦＭラジオバンド内で最も小さい受信周波数である８８．１ＭＨｚ）の同調点をトラッキングして、同調点が得られたときのコンデンサを特定する。そのために信号発生器１は、８８．１ＭＨｚ（＝ＦＬ＋１０．７ＭＨｚ）の基準信号を発生する。８８．１ＭＨｚでの同調点は、例えばコンデンサＣ１〜Ｃｍの選択を容量値が大きい方から順に切り替えていったときにレベル検出部１０ｂにより検出されるＩＦアンプ出力レベルＶＩＦＮが最初に極大値となる点を言う。
【００１９】
ところで、受信周波数が８８．１ＭＨｚで、コイルＬのインダクタンスが２２０[ｎＨ]であるなら、論理的にコンデンサの同調容量は１４．９[ｐＦ]となる。しかし、実際には半導体チップ上でコンデンサの容量値にバラツキがあるために、１４．９[ｐＦ]の容量値を持つコンデンサを選択したときに８８．１ＭＨｚの同調点が得られるとは限らない。すなわち、バラツキの大きさに応じて論理値からずれた容量値を持つコンデンサを選択したときに、８８．１ＭＨｚの同調点が得られる。トラッキング部１０ｃは、この同調点が得られたときに選択されていたコンデンサを特定する。
【００２０】
トラッキング部１０ｃは、トラッキングにより特定したコンデンサを識別するために必要な情報をＥＥＰＲＯＭ１１に格納する。例えば、トラッキング部１０ｃは、コンデンサＣ１〜Ｃｍのそれぞれに対してユニークに付与された識別情報を用いて、トラッキングにより特定したコンデンサの識別情報をＥＥＰＲＯＭ１１に格納する。なお、当該識別情報として、コンデンサＣ１〜Ｃｍの容量値を用いても良い。このＥＥＰＲＯＭ１１は、本発明のトラッキング情報格納部に相当する。ＥＥＰＲＯＭ１１に識別情報を格納することによって同調の調整が完了すると、信号発生器１の代わりに受信アンテナを設けて、受信機を出荷することができる。
【００２１】
出荷された受信機をユーザが使用する場合、制御部１０ｅは、例えばユーザにより指定された受信チャンネルに応じて、当該受信チャンネルに対応する周波数に同調するように同調回路２のスイッチＳＷ１〜ＳＷｍを制御する。すなわち、制御部１０ｅは、コンデンサＣ１〜Ｃｍに接続されたスイッチＳＷ１〜ＳＷｍの何れかをオンとするための制御信号を発生し、これによってスイッチＳＷ１〜ＳＷｍを制御することにより、コイルＬに対して並列接続するコンデンサの容量値を可変とし、同調周波数を調整する。
【００２２】
例えば、ＦＭラジオバンド内の任意の受信チャンネルが指定された場合、制御部１０ｅは、ＥＥＰＲＯＭ１１に格納されている情報により特定されるコンデンサを周波数割当の基準（８８．１ＭＨｚ）として、それに対して指定チャンネルの受信周波数で同調するのに必要な容量値のコンデンサを選択するようにスイッチＳＷ１〜ＳＷｍを制御する。
【００２３】
ここで、ＦＭラジオバンドの最小の受信周波数である８８．１ＭＨｚを同調点とした場合に必要な容量値のコンデンサがトラッキングにより一度特定されたら、他の受信チャンネルで同調を得るのに必要な容量値のコンデンサは、一意に決まる。すなわち、ＦＭラジオバンドの周波数割当は８８．１〜１０７．９ＭＨｚの範囲内で２００ｋＨｚステップの等間隔で連続している。このため、８８．１ＭＨｚの最小受信チャンネルで同調をとるのに必要な容量値がトラッキングにより判明すれば、他の受信チャンネルで同調をとるのに必要な容量値は、当該最小受信チャンネルで同調をとるのに必要な容量値を基準として一意に特定できる。
【００２４】
例えば、８８．１ＭＨｚを同調点とする場合の論理的な同調容量を持つコンデンサがｉ番目のコンデンサＣｉであるとし、トラッキングにより特定されたコンデンサがｉ＋２番目のコンデンサＣｉ＋２であったとする。この場合、８８．１ＭＨｚ以外の他の受信チャンネルで同調を得るのに必要な容量値のコンデンサは、それぞれの受信チャンネルにおける論理的な同調容量を持つコンデンサよりも２つ後のコンデンサとなる。つまり、８８．１〜１０７．９ＭＨｚの全体として２つ後ろ側にずれたコンデンサを選択すれば、所要の受信周波数で同調をとることができる。
【００２５】
なお、８８．１ＭＨｚ以外の他の受信チャンネルで同調を得るのに必要な容量値のコンデンサは、他の方法により一意に特定することも可能である。例えば、上述の例において、論理的な同調容量に相当するコンデンサＣｉの容量値と、トラッキングにより特定されたコンデンサＣｉ＋２の容量値とから容量値のバラツキ度合いを求める。例えば、同調容量の論理値とトラッキングにより特定された容量値との比率（Ｃｉ：Ｃｉ＋２）をもとにバラツキ度合いを求める。そして、その容量値のバラツキ度合いが＋５％であった場合、他の受信チャンネルで同調を得るのに必要な容量値も、それぞれの受信チャンネルにおける同調容量の論理値に対して＋５％の容量値であると考えて、そのような容量値に最も近い容量値を有するコンデンサを他の受信チャンネルで同調を得るのに必要なコンデンサとして一意に特定する。
【００２６】
以上詳しく説明したように、第１の実施形態では、同調回路２のコンデンサＣ１〜Ｃｍを半導体チップに内蔵した受信機において、受信周波数から求まる論理的な容量値のコンデンサに加えてマージン分の容量値を持ったコンデンサを含めて実際の受信チャンネル数より多くのコンデンサＣ１〜Ｃｍを設けて可変容量回路を構成している。そして、基準信号を同調回路２に供給した上で、コンデンサＣ１〜Ｃｍの選択を切り替えながら同調点のトラッキングを行い、同調点が得られたときに選択していたコンデンサを特定するようにしている。
【００２７】
このように構成した第１の実施形態の受信機によれば、コンデンサＣ１〜Ｃｍが内蔵される半導体チップ上で容量値のバラツキが生じていても、ある周波数で同調をとるのに本当に必要なコンデンサの容量値をトラッキングにより特定することができる。このとき、容量値のバラツキを考慮したマージン分の容量値を持ったコンデンサも選択対象として半導体チップに内蔵されているので、容量値のバラツキがあっても所要の周波数で確実に同調をとることができる。
【００２８】
（第２の実施形態）
次に、本発明の第２の実施形態を図面に基づいて説明する。図３は、第２の実施形態による受信機の構成例を示す図である。なお、この図３において、図１に示した符号と同一の符号を付したものは同一の機能を有するものであるので、ここでは重複する説明を省略する。第２の実施形態では、受信機の出荷後（実際の使用時）に同調点の調整を行うために必要な構成例について説明する。トラッキングによる同調点の調整は、例えば、受信機の電源投入時に行う。
【００２９】
図３において、半導体チップの外部に接続された抵抗Ｒと、半導体チップに内蔵されたトランジスタ１２により、アンテナダンピング回路が構成されている。アンテナダンピング回路は、アンテナ１３で受信したＲＦ信号を、ＤＳＰ１０より供給される制御信号に応じて可変設定された減衰度に制御する。また、第２の実施形態においてＬＮＡ３は、その増幅利得が、ＤＳＰ１０より供給される制御信号に応じて制御される。
【００３０】
信号発生器１４は、本発明の基準信号発生部に相当するものであり、局部発振周波数ＦＬに対して中間周波数（１０．７ＭＨｚ）の分だけ差を有する基準周波数（例えば、ＦＬ＋１０．７ＭＨｚ）の信号を発生する。スイッチ１５は、信号発生器１４により発生された基準信号を同調回路２に供給するか否かを切り替えるためのものである。トラッキングにより同調点の調整を行うときはスイッチ１５をオンとし、トラッキングの完了後はスイッチ１５をオフとする。このスイッチ１５のオン／オフ制御は、例えばＤＳＰ１０が行う。
【００３１】
トラッキングによる同調点の調整時に、ミキサ４は、信号発生器１４から供給され同調回路２およびＬＮＡ３を通過した基準信号と、図示しない局部発振回路から供給される局部発振信号とを混合し、周波数変換を行ってＩＦ信号を生成してＢＰＦ５に出力する。また、トラッキングが完了した後は、ミキサ４は、アンテナ１３で受信され同調回路２およびＬＮＡ３を介して出力されるＲＦ信号と、図示しない局部発振回路から供給される局部発振信号とを混合し、周波数変換を行ってＩＦ信号を生成してＢＰＦ５に出力する。
【００３２】
ＤＳＰ１０は、その機能構成として、復調部１０ａ、レベル検出部１０ｆ、トラッキング部１０ｃ、トラッキング情報格納部１０ｄ、制御部１０ｅおよびＡＧＣ（Automatic Gain Control）部１０ｇを備えている。レベル検出部１０ｆは、Ａ／Ｄ変換回路７より入力される狭帯域デジタルＩＦ信号に基づいて、アンテナ１３で受信されたＲＦ信号に含まれる希望波周波数の受信電界強度（以下、希望波のアンテナレベルＶＤという）を検出する。
【００３３】
ここで、希望波アンテナレベルＶＤは、次の（式１）に示す演算によって求めることができる。
ＶＤ＝ＶＩＦＮ＋ＧＲＦ＋ＧＩＦ  ・・・（式１）
ただし、
ＶＩＦＮ:希望波のＩＦアンプ出力レベル
ＧＲＦ:ＲＦ段（アンテナダンピング回路およびＬＮＡ３）の利得
ＧＩＦ:ＩＦアンプ６の利得
【００３４】
なお、Ａ／Ｄ変換回路７からＤＳＰ１０に入力されるＩＦ信号は、希望波周波数のみが含まれる狭帯域のＩＦ信号である。したがって、Ａ／Ｄ変換回路７からＤＳＰ１０に入力されるＩＦ信号のレベルをレベル検出部１０ｆが検出することにより、希望波のＩＦアンプ出力レベルＶＩＦＮは求めることができる。また、後述するように、ＡＧＣ部１０ｇによるＡＧＣ動作によってアンテナダンピング回路およびＬＮＡ３のトータル利得ＧＲＦが調整されているため、ＲＦ段の利得ＧＲＦはＤＳＰ１０が把握している。また、図示はしていないが、Ａ／Ｄ変換回路７の最大入力を超えないようにＤＳＰ１０によってＩＦアンプ６の利得ＧＩＦが調整されているため、ＩＦアンプ６の利得ＧＩＦもＤＳＰ１０が把握している。
【００３５】
トラッキング部１０ｃは、コンデンサＣ１〜Ｃｍの選択を容量値が大きい方から順に切り替えていったときにレベル検出部１０ｆにより検出される希望波アンテナレベルＶＤが最初に極大となる同調点をトラッキングして、同調点が得られたときのコンデンサを特定する。なお、第１の実施形態と同様に、希望波アンテナレベルＶＤの代わりに、希望波のＩＦアンプ出力レベルＶＩＦＮが最初に極大値となる点を同調点として検出するようにしても良い。
【００３６】
トラッキング情報格納部１０ｄは、第１の実施形態で用いたＥＥＰＲＯＭ１１に代わるものである。第１の実施形態では、受信機の出荷前に同調の調整を行っていたため、トラッキングにより特定したコンデンサの情報を不揮発性のメモリであるＥＥＰＲＯＭ１１に格納する必要があった。これに対して、第２の実施形態では、受信機の出荷後に、例えば受信の電源を投入する都度トラッキングを行うので、トラッキング情報格納部１０ｄが不揮発性のメモリである必要はない。
【００３７】
制御部１０ｅは、トラッキング情報格納部１０ｄに格納されている情報により特定されるコンデンサを周波数割当の基準（８８．１ＭＨｚ）として、それに対して指定チャンネルの受信周波数に同調するのに必要な容量値を持つコンデンサを選択するようにスイッチＳＷ１〜ＳＷｍを制御する。
【００３８】
ＡＧＣ部１０ｇは、レベル検出部１０ｆにより検出された希望波アンテナレベルＶＤに基づいて、ＲＦ段（アンテナダンピング回路およびＬＮＡ３）による受信信号の利得の調整を制御する。なお、ここでは、希望波アンテナレベルＶＤに基づいてＡＧＣ動作を行う例について説明しているが、これに限定されない。例えば、ミキサ４の出力信号（ＢＰＦ５で帯域制限が行われる前の広帯域ＩＦ信号で、希望波周波数および妨害波周波数の両方が含まれる）のレベルをＤＳＰ１０で検出し、希望波アンテナレベルＶＤおよび広帯域ＩＦ信号のレベルに基づいてＡＧＣ動作を行うようにしても良い。
【００３９】
以上詳しく説明したように、第２の実施形態においても第１の実施形態と同様に、コンデンサＣ１〜Ｃｍが内蔵される半導体チップ上で容量値のバラツキが生じていても、ある周波数で同調をとるのに本当に必要なコンデンサの容量値をトラッキングにより特定することができる。これにより、容量値のバラツキがあっても所要の周波数で確実に同調をとることができる。また、受信機の電源が投入される都度トラッキングが行われるので、受信機の経年変化や受信環境の変化があっても、所要の周波数で確実に同調をとることができる。
【００４０】
なお、上記第１および第２の実施形態では、ミキサ４がダウンコンバージョン方式で周波数変換を行うものであり、基準信号の周波数を（ＦＬ＋１０．７）ＭＨｚとしたが、これに限定されない。例えば、アップコンバージョン方式で周波数変換を行うものとしてミキサ４を構成し、基準信号の周波数を（１０．７−ＦＬ）ＭＨｚとしても良い。
【００４１】
また、上記第１および第２の実施形態では、局部発振周波数ＦＬに対して１０．７ＭＨｚの周波数差を有する信号を基準信号として用いる例について説明したが、正確に１０．７ＭＨｚである必要はない。すなわち、ミキサ４の出力がこの周波数差に相当する周波数のＩＦ信号となり、このＩＦ信号がその後段にあるＢＰＦ５で帯域制限されるので、ミキサ４の出力信号の周波数がＢＰＦ５の通過帯域内にあれば、必ずしも１０．７ＭＨｚである必要はない。
【００４２】
また、上記第１および第２の実施形態では、信号発生器１，１４で発生した基準信号を用いてトラッキングを行っているが、これに限定されない。例えば、アンテナで実際に受信された信号を用いてトラッキングを行うようにしても良い。ただし、基準信号は、トラッキングに必要な周波数成分のみが含まれている信号であるので、ノイズ等の影響が少ない中で同調点の検出ができる点で好ましい。
【００４３】
また、上記第１および第２の実施形態では、基準信号の周波数を８８．１ＭＨｚとする例について説明したが、この数値は単なる一例に過ぎない。一般に、日本のＦＭラジオバンドは周波数割当が７６〜９０ＭＨｚであり、米国のＦＭラジオバンドは周波数割当が８８．１〜１０７．９ＭＨｚである。例えば、両者のＦＭラジオバンドで重複している周波数領域（８８．１〜９０ＭＨｚ）内で基準信号の周波数の値を決めれば、日本用のラジオ受信機にも米国用のラジオ受信機にも上記第２の実施形態の半導体チップを兼用できる。
【００４４】
また、上記第１および第２の実施形態では、トラッキングにより特定したコンデンサを特定するために必要な情報だけをＥＥＰＲＯＭ１１またはトラッキング情報格納部１０ｄに格納する例について説明したが、これに限定されない。上述のように、ある受信周波数で同調をとるのに必要な容量値がトラッキングにより判明すれば、その容量値を基準として、他の受信周波数での同調に必要な容量値は一意に定まる。
【００４５】
そこで、図４に示すように、ＦＭラジオバンドに属する複数の受信周波数と、当該複数の受信周波数での同調に必要な容量値を持つコンデンサとをそれぞれ対応付けたテーブル情報をＥＥＰＲＯＭ１１またはトラッキング情報格納部１０ｄに格納するようにしても良い。このようにすれば、ＦＭラジオバンド内のどの受信チャンネルが選択されたときも、テーブル情報を参照するだけで、その受信チャンネルの同調に必要な容量値のコンデンサを特定することができる。
【００４６】
その他、上記第１および第２の実施形態は、本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【産業上の利用可能性】
【００４７】
本発明は、複数バンドの放送波を受信可能な受信機であって、コンデンサおよびコイルを備えたＬＣ共振回路より成る同調回路を有する受信機に有用なものである。
【図面の簡単な説明】
【００４８】
【図１】第１の実施形態による受信機の構成例を示す図である。
【図２】バラツキを考慮したマージン分の容量値を含む複数のコンデンサの容量値を示す図である。
【図３】第２の実施形態による受信機の構成例を示す図である。
【図４】本実施形態によるトラッキング情報格納部に格納する情報の一例を示す図である。
【図５】従来の受信機の構成例を示す図である。
【符号の説明】
【００４９】
１，１４  信号発生器
２  同調回路
４  ミキサ
１０  ＤＳＰ
１０ｂ，１０ｆ  レベル検出部
１０ｃ  トラッキング部
１０ｄ  トラッキング情報格納部
１０ｅ  制御部
１１  ＥＥＰＲＯＭ
Ｌ  コイル
Ｃ１〜Ｃｍ  コンデンサ
ＳＷ１〜ＳＷｍ  スイッチ
【図１】
2009177580.tif 000003
【図２】
2009177580.tif 000004
【図３】
2009177580.tif 000005
【図４】
2009177580.tif 000006
【図５】
2009177580.tif 000007